(57)【要約】【課題】確認対象リレー１０の無励磁時に点灯するが該リレー１０の接点の消費も外部電源＋への接続も不要なリレー動作表示灯回路５０を実現する。【解決手段】蓄電部５３と、確認対象リレー１０に倣って動作する反応リレー６０とを設け、反応リレー６０の接点６２，６３の開閉にて、確認対象リレー１０の励磁時には充電部５４経由で蓄電部５３に充電するとともにリレー励磁状態表示灯ＬＥＤ１に通電して点灯させる一方、確認対象リレー１０の無励磁時には充電部５４から無励磁時放電部５６経由で放電させてリレー無励磁状態表示灯ＬＥＤ２を点灯させるようにする。【選択図】        図１
2016015233.tif 000002
【特許請求の範囲】
【請求項１】
確認対象リレーの励磁コイルの両端部に分かれて接続された一対の配線端部と、この配線端部対間に励磁コイルが接続されていて前記確認対象リレーに倣って動作する反応リレーと、蓄電部と、前記反応リレーの接点にて電路開閉されて前記確認対象リレーの励磁時にだけ前記配線端部対の何れか一方から前記蓄電部への充電を行う充電部と、前記反応リレーの接点にて電路開閉されて前記確認対象リレーの無励磁時にだけ前記蓄電部から前記配線端部対の何れか他方への放電を行う回路であって前記放電の電流にて点灯するリレー無励磁状態表示灯を具備している無励磁時放電部とを備えたリレー動作表示灯回路。
【請求項２】
前記反応リレーの接点にて電路開閉されて前記確認対象リレーの励磁時にだけ前記充電部および前記蓄電部の接続部から前記配線端部対の何れか他方への通電を行う回路であって前記通電の電流にて点灯するリレー励磁状態表示灯を具備している励磁時通電部を備えていることを特徴とする請求項１記載のリレー動作表示灯回路。
【発明の詳細な説明】
【技術分野】
【０００１】
この発明は、接点式電磁リレーの動作状態（励磁状態か無励磁状態）を点灯表示するリレー動作表示灯回路に関する。
【背景技術】
【０００２】
鉄道電気技術などの分野では検知回路や論理回路など色々な回路にリレーが組み込まれている（例えば特許文献１〜３参照）。
半導体リレーが採用されることもあるが、接点式電磁リレー（メカニカルリレー）も依然として使われており、特にリレー接点が多くて多極コネクタ（例えば特許文献４参照）に装着されるようなリレーには、接点式電磁リレーが多用されている。
【０００３】
この接点式電磁リレーの動作状態が励磁状態になっているのか無励磁状態になっているのかを確認する主な方法として、リレー電源の有無すなわちリレーの励磁コイルへの駆動電圧印加の有無を調べる確認方法１と、リレーの接極子（アーマチュア）の移動位置すなわち扛上か落下かを見る確認方法２と、リレー接点の動作状態すなわち可動接点がどの固定接点と離接しているのかを見る確認方法３という、三つが挙げられる。それらのうち、確認方法１は直接目視できないのに対し、確認方法２，３は、直接目視による遣り方であって、透明カバーの採用等にて安直に具現化できるため、以前から実施されている。
【０００４】
図２（ａ）〜（ｃ）は、そのような接点式電磁リレー１０の一機種を示しており、（ａ）が全体の正面図、（ｂ）がその一部の接点視認部１１の拡大図、（ｃ）は、それと対比される別機種の接点式電磁リレーの接点視認部１１の拡大図である。なお、（ｂ），（ｃ）の両機種の接点視認部について機能の同じ部材には同一符号を付している。
また、図２（ｄ），（ｅ）は、リレーＡＲの接点をリレー回路条件部２０とし接点式電磁リレー１０の励磁コイル１４をリレー回路応動部とするリレー回路の回路図である。
【０００５】
接点式電磁リレー１０は、動作状態を確認する対象なので、以下、確認対象リレー１０とも呼ぶが、励磁コイル１４と図示しない接極子と可動接点１２と固定接点１３とを具備している。そのうち励磁コイル１４と接極子は一つずつ内蔵されていて外から視認しにくいが、接点１２，１３即ち対応する可動接点１２と固定接点１３の組は、複数・多数（図示の例では６組）設けられており、何れも外から見えるように正面の接点視認部１１に配置されている（図２（ａ），（ｂ）参照）。可動接点１２は（図２（ｂ）参照）、無励磁状態では下側の固定接点１３に接触し上側の固定接点１３から離れているのに対し（実線部分を参照）、励磁状態では下側の固定接点１３から離れて上側の固定接点１３に接触するので（二点鎖線部分を参照）、その離接状態を見れば確認対象リレー１０についてリレー動作状態が励磁状態なのか無励磁状態なのかが判明する。
【０００６】
ところが、接点式電磁リレーの動作状態とリレー接点１２，１３の動作状態との対応関係が逆になっている接点式電磁リレーや（図２（ｃ）参照）、動作状態の対応関係は同じなのに一部の固定接点が無いため一見すると逆に見える接点式電磁リレーも（図示せず）、一部であるが存在する。そのため、励磁状態を示す「Ｎ動作」や「Ｎ」といったマークと、無励磁状態を示す「Ｒ動作」や「Ｒ」といったマークとを、接点１２，１３の脇に記しておくことで、リレーと接点とで動作状態の対応関係が正逆いずれであっても接点式電磁リレーの動作状態を目視で正しく認識・識別できるようにしている（図２（ｂ），（ｃ）の例では「Ｎ」と「Ｒ」の上下が逆になっている）。
【０００７】
一方、コイルの励磁の有無を点灯にて視覚化することで容易に調べることができるようにしたものもある。図２（ｄ）は、そのようなリレー回路の回路図である。
このリレー回路では、リレー本体が他の所に置かれたリレーＡＲの接点がリレー回路条件部２０にされ、接点式電磁リレーからなる常時動作リレーＢＲが確認対象リレー１０に採用されるとともにその励磁コイル１４がリレー回路応動部にされ、さらに、確認対象リレー１０のリレー動作状態を視覚化するリレー動作表示灯回路３０が確認対象リレー１０に付加されて両者が一ユニットに纏められている。
【０００８】
リレー動作表示灯回路３０は、励磁コイル１４の両端部（一対の通電端部）に分かれて接続された一対の配線端部３１，３２に、電流制限抵抗Ｒ０とリレー励磁状態表示灯ＬＥＤ１との直列回路が、接続されたものである。そして、リレーＡＲの接点の開閉に応じて確認対象リレー１０（ＢＲ）の動作状態が無励磁状態か励磁状態になり、確認対象リレー１０が無励磁状態のときには励磁コイル１４ひいては配線端部対３１，３２間に電圧が印加されないのでリレー励磁状態表示灯ＬＥＤ１が消灯（滅灯）し、確認対象リレー１０が励磁状態のときには励磁コイル１４ひいては配線端部対３１，３２間に電圧が印加されるのでリレー励磁状態表示灯ＬＥＤ１が点灯する。そのため、リレー励磁状態表示灯ＬＥＤ１の点灯状態を見ることで確認対象リレー１０の動作状態を確認することができる。
【先行技術文献】
【特許文献】
【０００９】
【特許文献１】特開２００４−０１４４８９号公報
【特許文献２】特開２０１１−２１０６８７号公報
【特許文献３】特開２０１２−１６６７３５号公報
【特許文献４】特開２００８−０９８０２４号公報
【発明の概要】
【発明が解決しようとする課題】
【００１０】
このようなリレー動作表示灯回路３０では、リレー励磁状態表示灯ＬＥＤ１の採用により、接極子や接点といった機械部品の位置を目視で調べるのに比べ、視認性が向上するとともに、表示部材（ＬＥＤ１）をほぼ自由に配置できるようにもなっている。
とはいえ、上述した構成のリレー動作表示灯回路３０ではリレー励磁状態表示灯ＬＥＤ１が確認対象リレー１０の励磁時には点灯するが無励磁時には点灯しない。
リレー回路条件部２０を外して配線端部対３１，３２を確認対象リレー１０の励磁コイル１４の両端部に分けて接続する構成のままでは、確認対象リレー１０の無励磁時に点灯させるのは難しいためであるが、これでは無励磁状態の視認性が向上しない。
【００１１】
そのため、励磁コイル１４に対する接続条件まで変更して、無励磁時に点灯させることができる他の構成も、提案されたが、確認対象リレー１０や配線接続に及ぼす影響が無視できないほど大きいため、実施するには至らなかった。
図２（ｅ）は、そのように図２（ｄ）のリレー回路を改造したリレー回路案の回路図であり、リレー動作表示灯回路３０を改造して無励磁時に点灯させることができるようになったリレー動作表示灯回路４０を含んでいる。
【００１２】
リレー動作表示灯回路４０では、一対の配線端部４１，４２が、確認対象リレー１０の励磁コイル１４の両端部でなく、リレー回路条件部２０のリレー接点ＡＲとリレー回路応動部の励磁コイル１４との接続回路の両側に分かれて、一対の給電端子（図ではプラス電源端子＋とマイナス電源端子−）に接続されている。また、確認対象リレー１０のリレー接点ＢＲ（一組の可動接点１２と固定接点１３）と電流制限抵抗Ｒ０とリレー無励磁状態表示灯ＬＥＤ２との直列回路が、配線端部対４１，４２に接続されている。そして、リレーＡＲの接点の開閉に応じて確認対象リレー１０（ＢＲ）の動作状態が無励磁状態から励磁状態になり、確認対象リレー１０が励磁状態のときにはリレー接点ＢＲが開いて電流制限抵抗Ｒ０とリレー無励磁状態表示灯ＬＥＤ２との直列回路に電圧が印加されないのでリレー無励磁状態表示灯ＬＥＤ２が消灯するのに対し、確認対象リレー１０が無励磁状態のときにはリレー接点ＢＲが閉じて電流制限抵抗Ｒ０とリレー無励磁状態表示灯ＬＥＤ２との直列回路に電圧が印加されるのでリレー無励磁状態表示灯ＬＥＤ２が点灯する。
【００１３】
このように、リレー動作表示灯回路４０では、確認対象リレー１０の無励磁時にリレー無励磁状態表示灯ＬＥＤ２が点灯するので、無励磁状態の視認性が向上している。
しかしながら、配線端部対４１，４２のうち一方（図示の例では配線端部４１）の接続先が、リレー動作表示灯回路４０の付設先の確認対象リレー１０の励磁コイル１４の端部でなく、給電端子（図示の例ではプラス電源端子＋）に接続されるようになっているため、配線接続箇所が確認対象リレー１０の励磁コイル１４の局所に集約されないという不満があり、例えば確認対象リレー１０とリレー動作表示灯回路４０を一ユニット化しても、リレー動作表示灯回路３０と異なり、プラス電源端子＋への接続作業を省けない。
【００１４】
また、リレー動作表示灯回路４０が実施されなかった最たる理由は、何と言っても、確認対象リレー１０（ＢＲ）のリレー接点ＢＲ（１２，１３）を使用することである。
確認対象リレー１０がリレー接点を多数装備しているのは、リレー接点を沢山使用することが多いからであり、他の種々の回路で使っている場合、内部の接点を使うとリレーを交換した時にダブって使用することになるので問題になる。また、例えリレー接点が幾つか余って使われていない場合でも、それは将来の代替や拡張に備えて予め確保されていて予備接点に割り当てられているので、それを別の目的に流用するのは不都合である。
そこで、リレー動作表示灯回路３０の利点も兼備するようにリレー動作表示灯回路４０を更に改良することにより、確認対象リレー無励磁時に点灯するが予備接点の消費も外部電源への接続も不要なリレー動作表示灯回路を実現することが、技術的な課題となる。
【課題を解決するための手段】
【００１５】
本発明のリレー動作表示灯回路は（解決手段１）、このような課題を解決するために創案されたものであり、確認対象リレーの励磁コイルの両端部に分かれて接続された一対の配線端部と、この配線端部対間に励磁コイルが接続されていて前記確認対象リレーに倣って動作する反応リレーと、蓄電部と、前記反応リレーの接点にて電路開閉されて前記確認対象リレーの励磁時にだけ前記配線端部対の何れか一方から前記蓄電部への充電を行う充電部と、前記反応リレーの接点にて電路開閉されて前記確認対象リレーの無励磁時にだけ前記蓄電部から前記配線端部対の何れか他方への放電を行う回路であって前記放電の電流にて点灯するリレー無励磁状態表示灯を具備している無励磁時放電部とを備えている。
【００１６】
また、本発明のリレー動作表示灯回路は（解決手段２）、上記解決手段１のリレー動作表示灯回路であって、前記反応リレーの接点にて電路開閉されて前記確認対象リレーの励磁時にだけ前記充電部および前記蓄電部の接続部から前記配線端部対の何れか他方への通電を行う回路であって前記通電の電流にて点灯するリレー励磁状態表示灯を具備している励磁時通電部を備えていることを特徴とする。
【発明の効果】
【００１７】
このような本発明のリレー動作表示灯回路にあっては（解決手段１）、リレー無励磁状態表示灯が確認対象リレー無励磁時に点灯するが、その点灯に必要な電力が確認対象リレー励磁時の充電と確認対象リレー無励磁時の放電とによって確保される。しかも、その充放電の具体化に際し、放電に先立つ蓄電を担う蓄電部を導入したうえで、充電部による蓄電部への充電が配線端部を介して確認対象リレーの励磁コイルの両端部の一方からなされるとともに、無励磁時放電部による蓄電部からの放電が配線端部を介して確認対象リレーの励磁コイルの両端部の他方へなされるようにしたことにより、確認対象リレーの励磁コイルとリレー回路条件部とからなるリレー回路から見て外部に位置する電源から電力の供給を受けなくて済むので、外部電源に接続する必要が無い。
【００１８】
さらに、確認対象リレーに倣って動作する反応リレーをやはり外部電源への接続の不要な接続態様で導入するとともに、そのリレー接点にて充放電の電路を開閉するようにもしたことにより、充放電ひいては点灯消灯の切り替えが反応リレーによって行われるため、確認対象リレーの接点は、使用中ならもとより不使用で予備とされるものであっても、リレー動作表示灯回路に流用する必要が無い。
したがって、この発明によれば、確認対象リレー無励磁時に点灯するが予備接点の消費も外部電源への接続も不要なリレー動作表示灯回路を実現することができる。
【００１９】
また、本発明のリレー動作表示灯回路にあっては（解決手段２）、上述のリレー無励磁状態表示に加えて、確認対象リレーの励磁時に点灯するリレー励磁状態表示灯も設けたことにより、確認対象リレーの動作状態が励磁状態のときも無励磁状態のときも点灯表示にて明確に示されることとなる。しかも、その具現化に際し、リレー無励磁状態表示灯を具備する励磁時通電部を、従来のように配線端部対間に直接接続するのでなく、充電部と蓄電部との接続部に対して接続したうえで、予備接点を消費しないよう反応リレーの接点にて通電の電路の切替ひいては点灯消灯の切替を行うようにもしたことにより、蓄電部が短絡故障した場合、リレー無励磁状態表示灯だけでなくリレー励磁状態表示灯も消灯するので、異常に気づき易くなる。
したがって、この発明によれば、蓄電素子の機能喪失の状態を含めた異常状態を無励磁時はもとより励磁時にも一目瞭然に表示することができる。
【図面の簡単な説明】
【００２０】
【図１】本発明のリレー動作表示灯回路の実施例１について、（ａ）は、確認対象リレーにリレー動作表示灯回路を付加したユニットの回路図、（ｂ）〜（ｄ）は、何れも、そのユニットの正面図である。
【図２】（ａ）は、確認対象リレーの正面図、（ｂ）は、その接点視認部の拡大図、（ｃ）は、他のリレーの接点視認部の拡大図、（ｄ）は、確認対象リレーに従来のリレー動作表示灯回路を付加したユニットの回路図、（ｅ）は、その改良案である。
【発明を実施するための形態】
【００２１】
このような本発明のリレー動作表示灯回路について、これを実施するための具体的な形態を、以下の実施例１により説明する。
図１に示した実施例１は、上述した解決手段１〜２（出願当初の請求項１〜２）を総て具現化したものである。
なお、それらの図示に際し従来と同様の構成要素には同一の符号を付して示したので、また、それらについて背景技術の欄で述べたことは以下の各実施例についても共通するので、重複する再度の説明は割愛し、以下、従来との相違点を中心に説明する。
【実施例１】
【００２２】
本発明のリレー動作表示灯回路の実施例１について、その具体的な構成を、図面を引用して説明する。図１（ａ）は、確認対象リレー１０にリレー動作表示灯回路５０を付加したユニット（１４＋２０＋５０）の回路図である。
【００２３】
リレー動作表示灯回路５０がリレー無励磁状態表示灯ＬＥＤ２に加えて配線端部対３１，３２と同じ配線端部対５１，５２を具備している点に加え、リレー動作表示灯回路５０の外部で、接点式電磁リレーの常時動作リレーＢＲが確認対象リレー１０とされ、その励磁コイル１４がリレー接点ＡＲをリレー回路条件部２０とするリレー回路の応動部に組み込まれ、該条件部２０と励磁コイル１４の一端部との接続部に配線端部５１が接続されるとともに励磁コイル１４の他端部に配線端部５２が接続されて配線端部対５１，５２間からリレー回路条件部２０が外れている点は、従来（図２（ｄ）参照）と同様であるが、リレー動作表示灯回路５０は（図１（ａ）参照）、更に、反応リレー６０とバリスタＺＮＲと蓄電部５３と充電部５４と励磁時通電部５５と無励磁時放電部５６も具備している。
【００２４】
反応リレー６０は、励磁コイル６１と複数のリレー接点とを具備した常時動作リレーＢＰＲを図示したが、励磁コイル６１の両端部が配線端部対５１，５２に分かれて接続されて励磁コイル１４と同じく励磁されることで確認対象リレー１０に倣って動作するようになっていれば足り、確認対象リレー１０と同じ接点式電磁リレーでも良く、それより小形のメカニカルリレーや半導体リレーでも良く、常時落下リレーであっても良い。反応リレー６０の接点は、充電部５４の電路を開閉する接点６２と、励磁時通電部５５の電路と無励磁時放電部５６の電路とを交互に開閉する接点６３との二つを例示したが、後者のリレー接点６３は、扛上接点と落下接点との組であり、励磁時通電部５５用のリレー接点と、無励磁時放電部５６用の別リレー接点とに分かれていても良い。
【００２５】
バリスタＺＮＲは、公知の非線形抵抗素子であり、反応リレー６０の励磁コイル６１と同じく配線端部対５１，５２間に接続されていて、コイル起電力や外来サージノイズ等による過大電圧から回路を保護する。ツェナーダイオードの組み合わせ回路等でも良い。
【００２６】
蓄電部５３は、一個の電解コンデンサＣ１を図示したが、リレー無励磁状態表示灯ＬＥＤ２に対して点灯用電流を想定時間以上に及んで供給しうる蓄電容量を備えたものであれば、他の種類のコンデンサが用いられていても良く、複数個のコンデンサが用いられていても良く、一次電池や二次電池が併用されていても良い。一般にコンデンサや電池の方が接点式電磁リレーより寿命が短いが、複数個のコンデンサや複数個の電池を着脱容易に並設しておいて、時期をずらして更新することで、例えば交互・順次に定期交換するといったことで、リレー動作表示灯回路５０さらには確認対象リレー１０を含んだリレー回路の動作を妨げることなく、必要機能を維持することができる。
【００２７】
充電部５４は、一端が反応リレー６０の接点６２を介して配線端部５１に接続される電流制限抵抗Ｒ１と、一端（アノード）が電流制限抵抗Ｒ１の他端に接続され他端（カソード）が蓄電部５３の一端に接続された整流用ダイオードＤ１とからなり、反応リレー６０の接点６２にて電路開閉されて確認対象リレー１０の励磁時にだけ配線端部５１から蓄電部５３へ充電するようになっている。なお、この充電部５４がリレー回路条件部２０を介してプラス電源＋に接続されるので、蓄電部５３の他端はマイナス電源−側の配線端部５２に接続されている。
【００２８】
励磁時通電部５５は、一端が反応リレー６０の接点６３の扛上接点を介してダイオードＤ１の他端および蓄電部５３の一端に接続される電流制限抵抗Ｒ２と、一端（アノード）が電流制限抵抗Ｒ２の他端に接続され他端（カソード）が配線端部５２に接続されたリレー励磁状態表示灯ＬＥＤ１（発光ダイオード）とからなり、反応リレー６０の接点６３にて電路開閉されて確認対象リレー１０の励磁時にだけ充電部５４及び蓄電部５３の接続部から配線端部５２へ通電するようになっている。また、この通電の電流によりリレー励磁状態表示灯ＬＥＤ１が確認対象リレー１０の励磁時にだけ点灯するようになっている。
【００２９】
無励磁時放電部５６は、一端が反応リレー６０の接点６３の落下接点を介してダイオードＤ１の他端および蓄電部５３の一端に接続される電流制限抵抗Ｒ３と、一端（アノード）が電流制限抵抗Ｒ３の他端に接続され他端（カソード）が配線端部５２に接続されたリレー無励磁状態表示灯ＬＥＤ２（発光ダイオード）とからなり、反応リレー６０の接点６３にて電路開閉されて確認対象リレー１０の無励磁時にだけ充電部５４から配線端部５２へ放電するようになっている。また、この放電の電流によりリレー無励磁状態表示灯ＬＥＤ２が確認対象リレー１０の無励磁時にだけ点灯するようになっている。
【００３０】
この実施例１のリレー動作表示灯回路５０について、その使用態様及び動作を、図面を引用して説明する。図１（ｂ）〜（ｄ）は、何れも、確認対象リレー１０にリレー動作表示灯回路５０を一体的に付加したユニット（１０＋５０）の正面図である。
【００３１】
リレー動作表示灯回路５０は、確認対象リレー１０に付設して使用されるので、そのために板状体や小箱などの一ユニットに纏められる。そして、付設の際、確認対象リレー１０の近くに別置きされることもあるが（図示せず）、この例では（図１（ｂ）〜（ｄ）参照）、長方形状の外枠の中に透明な板を嵌め込んだ窓状体・蓋状体に纏められており、確認対象リレー１０に対して、その前面のほぼ上半分に被せる形で、ネジ止めにて着脱式で、装着されている。リレー励磁状態表示灯ＬＥＤ１とリレー無励磁状態表示灯ＬＥＤ２は、視認性を確保しつつ保護するために、透明な板の裏に配置されており、その近傍の外枠部分には、リレー励磁状態を意味する表記「Ｎ動作」や、リレー無励磁状態を意味する表記「Ｒ動作」が印字等にて付されている。
【００３２】
そして、リレー回路条件部２０が条件成立にて導通して確認対象リレー１０が励磁されると、確認対象リレー１０の励磁コイル１４に電源電圧が印加されるとともに、配線端部対５１，５２にも電源電圧が印加されるので、それに伴って、反応リレー６０も励磁されて、そのリレー接点６２とリレー接点６３の扛上接点とが閉じて導通状態になるとともにリレー接点６３の落下接点が開いて遮断状態になる。そうすると、充電部５４を介して蓄電部５３に電気が流れて蓄電部５３が充電されるとともに、充電部５４と励磁時通電部５５との直列回路に電気が流れてリレー励磁状態表示灯ＬＥＤ１が点灯する（図１（ｂ）参照）。一方、無励磁時放電部５６では、放電が無いので、リレー無励磁状態表示灯ＬＥＤ２が消灯する。このような点灯状態により、リレー励磁状態が一目瞭然となる。
【００３３】
これに対し、リレー回路条件部２０が条件不成立にて遮断されて確認対象リレー１０が励磁されなくなると、確認対象リレー１０の励磁コイル１４にも配線端部対５１，５２にも電源電圧が印加されなくなるので、それに伴って、反応リレー６０も無励磁となって、そのリレー接点６２とリレー接点６３の扛上接点とが開いて遮断状態になるとともにリレー接点６３の落下接点が閉じて導通状態になる。そうすると、蓄電部５３から無励磁時放電部５６を介して配線端部５２へ放電がなされるので、リレー無励磁状態表示灯ＬＥＤ２が点灯する（図１（ｃ）参照）、一方、充電部５４と同じく励磁時通電部５５では、通電が無いので、リレー励磁状態表示灯ＬＥＤ１が消灯する。このような点灯状態により、確認対象リレー１０の無励磁状態も一目瞭然となる。
【００３４】
その他、蓄電部５３の蓄電容量の決定因子として上述した想定時間を大きく上回る長時間に亘って確認対象リレー１０の無励磁状態が継続したというリレー動作表示灯回路５０の問題外の場合や、リレー動作表示灯回路５０に原因があって異常事態配線端部対５１，５２間に全く電圧が立たないといった重篤な故障に加え、蓄電部５３が短絡故障したときにも、リレー励磁状態表示灯ＬＥＤ１とリレー無励磁状態表示灯ＬＥＤ２との双方が共に消灯する（図１（ｄ）参照）。その場合、透明板越しに確認対象リレー１０の可動接点１２を見て透明板越しでも視認の比較的容易な動きの有り無しを調べ、その動きが無ければリレー動作表示灯回路５０の問題外と判定し、可動接点１２が動いていれば真っ先に蓄電部５３の短絡故障を疑ってコンデンサＣ１の電圧測定や交換などを試し、それでも正常復帰しなければリレー動作表示灯回路５０の交換等を行うことにより、高い確度で且つ迅速にリレー動作状態点灯表示の機能を回復することができる。
【００３５】
［その他］
上記実施例では、充電部５４がプラス電源側であり蓄電部５３や無励磁時放電部５６，励磁時通電部５５がマイナス電源側であったが、電源の正負は逆であっても良く、表示灯ＬＥＤ１，ＬＥＤ２やダイオードＤ１の通電方向を逆にする程度の簡単な改造で適合させることができる。
上記実施例では、リレー動作表示灯回路５０が確認対象リレー１０に付加されて、それらが一ユニットに纏められていたが、そのような一ユニット化は必須でないので、リレー動作表示灯回路５０をリレーユニットの外部で実現しても良い。
【００３６】
上記実施例では、電流制限抵抗Ｒ２や電流制限抵抗Ｒ３がリレー励磁状態表示灯ＬＥＤ１やリレー無励磁状態表示灯ＬＥＤ２の左側に設けられていたが、電流制限抵抗Ｒ２や電流制限抵抗Ｒ３は、リレー励磁状態表示灯ＬＥＤ１やリレー無励磁状態表示灯ＬＥＤ２の右側に設けても良く、抵抗値が同じ場合には纏めてから例えば一個の抵抗素子にしてから常時動作リレーＢＰＲのコモン側に配置しておき励磁時通電部５５と無励磁時放電部５６とで共用することも可能である。
【産業上の利用可能性】
【００３７】
上記実施例では確認対象リレーが直流リレーであったが、本発明のリレー動作表示灯回路は、直流リレーを確認対象とする場合に適用が限定される訳でなく、確認対象リレーが交流リレーであっても、表示灯ＬＥＤの整流作用により、抵抗値や蓄電容量を適合させる程度で簡便に、適用することができる。
【符号の説明】
【００３８】
１０…確認対象リレー（ＢＲ）、
１１…接点視認部、１２…可動接点、１３…固定接点、
１４…励磁コイル（リレー回路応動部）、２０…リレー回路条件部（ＡＲ）、
３０…リレー動作表示灯回路、３１，３２…配線端部、
４０…リレー動作表示灯回路、４１，４２…配線端部、
５０…リレー動作表示灯回路、
５１，５２…配線端部、５３…蓄電部、
５４…充電部、５５…励磁時通電部、５６…無励磁時放電部、
６０…反応リレー（ＢＰＲ）、６１…励磁コイル（模倣部）、
６２…接点（充電切替部）、６３…接点（放電切替部）、
ＬＥＤ１…リレー励磁状態表示灯、ＬＥＤ２…リレー無励磁状態表示灯
【図１】
2016015233.tif 000003
【図２】
2016015233.tif 000004